(57)【要約】【課題】簡単な操作により背凭れ部を使用者の所望の位置に起倒させることができるリクライニング機能付き椅子を提供することを課題とする。【解決手段】座部２０と、座部２０の一側面に起倒自在に設けられた背凭れ部３０と、背凭れ部３０の起倒を操作する操作部７０とを備え、背凭れ部３０を倒す際、操作部７０が連続して操作されている時間が所定時間未満の場合には、操作部７０が操作されなくなるまで背凭れ部３０は倒れると共に、操作部７０が操作されている時間が所定時間を超えた場合には、背凭れ部３０は所定位置まで倒れるように構成されている。【選択図】        図１０
2005185466.tif 000002
【特許請求の範囲】
【請求項１】
座部と、座部の一側面に起倒自在に設けられた背凭れ部と、背凭れ部の起倒を操作する操作部とを備え、前記背凭れ部を倒す際、操作部が連続して操作されている時間が所定時間未満の場合には、操作部が操作されなくなるまで背凭れ部は倒れると共に、操作部が連続して操作されている時間が所定時間を超えた場合には、背凭れ部は所定位置まで倒れるように構成されていることを特徴とするリクライニング機能付き椅子。
【請求項２】
前記所定位置は、前回使用した際に背凭れ部を起倒させた位置であることを特徴とする請求項１記載のリクライニング機能付き椅子。
【請求項３】
前記所定位置は、背凭れ部の最倒れ位置であることを特徴とする請求項１記載のリクライニング機能付き椅子。
【請求項４】
前記操作部が連続して操作されている時間が所定時間を超えて背凭れ部が所定位置まで倒れるまでの間に、操作部の操作を解除した後に再度操作部が操作された場合には、背凭れ部の倒れ動作が停止するように構成されていることを特徴とする請求項１記載乃至請求項３の何れか１項に記載のリクライニング機能付き椅子。
【請求項５】
座部と、座部の一側面に起倒自在に設けられた背凭れ部と、背凭れ部の起倒を操作する操作部とを備え、前記背凭れ部を起こす際、操作部が連続して操作されている時間が所定時間未満の場合には、操作部が操作されなくなるまで背凭れ部は起き上がると共に、操作部が連続して操作されている時間が所定時間を超えた場合には、背凭れ部は所定位置まで起き上がるように構成されていることを特徴とするリクライニング機能付き椅子。
【請求項６】
前記所定位置は、前回使用した際に背凭れ部を起倒させた位置であることを特徴とする請求項５記載のリクライニング機能付き椅子。
【請求項７】
前記所定位置は、背凭れ部の最起き位置であることを特徴とする請求項５記載のリクライニング機能付き椅子。
【請求項８】
前記操作部が連続して操作されている時間が所定時間を超えて背凭れ部が所定位置まで起き上がるまでの間に、操作部の操作を解除した後に再度操作部が操作された場合には、背凭れ部の起き上がり動作が停止するように構成されていることを特徴とする請求項５記載乃至請求項７の何れか１項に記載のリクライニング機能付き椅子。
【請求項９】
前記リクライニング機能付き椅子には、マッサージ装置が備えられていることを特徴とする請求項１乃至請求項８の何れか１項に記載のリクライニング機能付き椅子。
【発明の詳細な説明】
【技術分野】
【０００１】
本発明は、背凭れ部を起倒自在に調整することができるリクライニング機能付き椅子に関する。
【背景技術】
【０００２】
この種の背凭れ部のリクライニング機能付き椅子は、背凭れ部の起倒を操作する操作部（リクライニングスイッチ）を所定時間操作し続けると背凭れ部を起倒させるモータが低速から高速で回転し、背凭れ部の起倒に要する時間を短縮化させたものが知られている（例えば、特許文献１参照）。
【特許文献１】特開２０００−９３４７８号公報
【発明の開示】
【発明が解決しようとする課題】
【０００３】
しかしながら、背凭れ部を使用者の所望の位置に起倒させるまで操作部を長時間操作し続ける必要があると共に、背凭れ部が所望の位置まで起倒した際に、操作部の操作を解除して背凭れ部の起倒を停止させる必要があった。
【０００４】
本発明はこのような課題を解決するためになされたものであり、簡単な操作により背凭れ部を使用者の所望とする位置に起倒させることができるリクライニング機能付き椅子を提供することを課題とする。
【課題を解決するための手段】
【０００５】
上記課題を解決するための第１の手段は、座部と、座部の一側面に起倒自在に設けられた背凭れ部と、背凭れ部の起倒を操作する操作部とを備え、前記背凭れ部を倒す際、操作部が連続して操作されている時間が所定時間未満の場合には、操作部が操作されなくなるまで背凭れ部は倒れると共に、操作部が連続して操作されている時間が所定時間を超えた場合には、背凭れ部は所定位置まで倒れるように構成されていることを特徴とする。
【０００６】
上記課題を解決するための第１の手段において、前記所定位置は、前回使用した際に背凭れ部を起倒させた位置であってもよい。
【０００７】
上記課題を解決するための第１の手段において、前記所定位置は、背凭れ部の最倒れ位置であってもよい。
【０００８】
また、前記操作部が連続して操作されている時間が所定時間を超えて背凭れ部が所定位置まで倒れるまでの間に、操作部の操作を解除した後に再度操作部が操作された場合には、背凭れ部の倒れ動作が停止するように構成されてもよい。
【０００９】
上記課題を解決するための第2の手段は、座部と、座部の一側面に起倒自在に設けられた背凭れ部と、背凭れ部の起倒を操作する操作部とを備え、前記背凭れ部を起こす際、操作部が連続して操作されている時間が所定時間未満の場合には、操作部が操作されなくなるまで背凭れ部は起き上がると共に、操作部が連続して操作されている時間が所定時間を超えた場合には、背凭れ部は所定位置まで起き上がるように構成されていることを特徴とする。
【００１０】
上記課題を解決するための第2の手段において、前記所定位置は、前回使用した際に背凭れ部を起倒させた位置であってもよい。
【００１１】
上記課題を解決するための第2の手段において、前記所定位置は、背凭れ部の最起き位置であってもよい。
【００１２】
また、前記操作部が連続して操作されている時間が所定時間を超えて背凭れ部が所定位置まで起き上がるまでの間に、操作部の操作を解除した後に再度操作部が操作された場合には、背凭れ部の起き上がり動作が停止するように構成されてもよい。
【００１３】
また、前記リクライニング機能付き椅子には、マッサージ装置が備えられていてもよい。
【発明の効果】
【００１４】
本発明の請求項１の構成によれば、操作部を所定時間だけ連続して操作し続けるという簡単な操作により、背凭れ部を所望とする任意の位置まで倒すことができ、操作性を向上させることができる等の効果を奏する。
【００１５】
本発明の請求項２の構成によれば、操作部を所定時間だけ連続して操作し続けるという簡単な操作により、背凭れ部を前回使用していた位置まで倒すことができ、操作性と共に便宜性を向上させることができる等の効果を奏する。
【００１６】
本発明の請求項３の構成によれば、操作部を所定時間だけ連続して操作し続けるという簡単な操作により、背凭れ部を最倒れ位置まで倒すことができ、操作性を向上させることができる等の効果を奏する。
【００１７】
本発明の請求項４の構成によれば、操作部を所定時間連続して操作して背凭れ部を倒し続けている場合でも、再度操作部を操作することにより背凭れ部を停止させることができるため、背凭れ部のリクライニング位置変更を容易に行うことができる等の効果を奏する。
【００１８】
本発明の請求項５の構成によれば、操作部を所定時間だけ連続して操作し続けるという簡単な操作により、背凭れ部を所望とする任意の位置まで起こすことができ、操作性を向上させることができる等の効果を奏する。
【００１９】
本発明の請求項６の構成によれば、操作部を所定時間だけ連続して操作し続けるという簡単な操作により、背凭れ部を前回使用していた位置まで起こすことができ、操作性と共に便宜性を向上させることができる等の効果を奏する。
【００２０】
本発明の請求項７の構成によれば、操作部を所定時間だけ連続して操作し続けるという簡単な操作により、背凭れ部を最起き位置まで起こすことができ、操作性を向上させることができる等の効果を奏する。
【００２１】
本発明の請求項８の構成によれば、操作部を所定時間連続して操作して背凭れ部を起こし続けている場合でも、再度操作部を操作することにより背凭れ部を停止させることができるため、背凭れ部のリクライニング位置変更を容易に行うことができる等の効果を奏する。
【００２２】
本発明の請求項9の構成によれば、マッサージ装置により使用者の体をマッサージすることができる等の効果を奏する。
【発明を実施するための最良の形態】
【００２３】
（第１実施形態）
本発明を実施するための最良の第１実施形態のリクライニング機能付き椅子を図１乃至図１０に基づいて以下に詳述する。図１はリンク機構５０を備えたリクライニング機能付き椅子１０の側面図である。リクライニング機能付き椅子１０は、使用者が腰掛ける座部２０と、座部２０の後端に起倒自在に支持された背凭れ部３０と、座部２０の先端に傾動可能に支持されたフットレスト４０と、座部２０の両側から上方に向けて形成された肘掛１２とから構成されている。尚、図１等では紙面手前側の肘掛１２を取外した状態を示している。
【００２４】
座部２０は、下面に配備された座部フレーム２２から複数の脚部２４が下向きに突設されており、脚部２４の下端は平行に延びる脚板２６に連結されている。
【００２５】
フットレスト４０は、使用者の膝よりも下の部分、主としてふくらはぎを載せるものであり、内部に必要に応じてローラ、エアバッグ、バイブレーションユニット等のマッサージ装置が配備可能となっており、外周はカバーやクッションにより包囲されている。フットレスト４０の裏面、即ち、使用者の足を載せる側とは逆側の面には、フレーム４２が通されており、フレーム４２の基端はフットレスト４０から突出して、座部フレーム２２に回動自在に連結されている。また、フットレスト４０のフレーム４２には、後述する受部５７が配備されている。
【００２６】
背凭れ部３０は、使用者の腰より上の部分、即ち、背中や頭部が当接する部分であり、内部にもみ、たたき、指圧のマッサージを施す周知のマッサージ装置が配備されており、外周はカバーやクッションにより包囲されている。背凭れ部３０の下端近傍には、座部フレーム２２と回動自在に連結されるフレーム３４が配備されており、背凭れ部３０の下端には、後述する第２リンク５５が回動自在に連結される下部フレーム３６が配備されている。背凭れ部３０は、座部フレーム２２との連結部を中心として傾動する。
【００２７】
背凭れ部３０及びフットレスト４０のリクライニング装置３２として、図示しないモータの回転力をネジ推力に変換して長さが変わる電動式の装置を例示でき、図１に示すように、リクライニング装置３２の一端は座部フレーム２２の前端近傍に取り付けられており、他端は背凭れ部３０の下部フレーム３６に連結されている。尚、リクライニング装置３２は、電動式のものに限らず、油圧ピストンにより作動するものでもよい。
【００２８】
図示のリクライニング装置３２は、操作部７０によって操作することができる。使用者が、操作部７０のリクライニング倒れキー７２を押すと、ネジ推力によりリクライニング装置３２が縮んで、背凭れ部３０の下端が前方に引っ張られて背凭れ部３０が倒れ、操作部７０のリクライニング起きキー７４を押すと、ネジ推力によりリクライニング装置３２が伸びて、背凭れ部３０の下端が後方に押し出されて背凭れ部３０が起き上がるように設定されている。
【００２９】
背凭れ部３０とフットレスト４０は、図１に示すようなリンク機構５０によって接続される。リンク機構５０は、脚板２６の前端に回動可能に支持された第１リンク５１と第１リンク５１を背凭れ部３０の下部フレーム３６に連結する第２リンク５５とを備える。
【００３０】
第１リンク５１は、自由端側にローラ５２が回転自在に配備されている。また、第１リンク５１の中央よりやや上側は後方に向けて屈曲しており、屈曲部分から後方に向けて連結軸５３が突設されている。
【００３１】
第２リンク５５は、一端が第１リンク５１の連結軸５３の先端に回動自在に連結されており、他端が背凭れ部３０の下部フレーム３６に連結されている。第２リンク５５は、後述する配送、保管の便宜上、図６及び図７に示すように、略中央部で折り畳み可能な構成になっている。使用者がリクライニング機能付き椅子１０を使用する際には、折り畳み部は展開され、直線状態でロック可能となっている。尚、第２リンク５５の折り畳み可能な構成については後述する。
【００３２】
第１リンク５１の先端ローラ５２は、フットレスト４０の裏面フレーム４２に両端が固定された受部５７に転動可能に当接している。受部５７は、図１に示すように、略中央部がフットレスト４０から離れる方向に突出し、くの字型形状に屈曲している。尚、受部５７を図示の如く、くの字型に曲げているのは、背凭れ部３０が最も起立した状態から少し倒した時に、最もフットレスト４０の上昇度合いが大きくなるように調整したためであり、このような動作を維持できれば、必ずしもくの字型形状に限定されるものではない。
【００３３】
上記構成のリンク機構５０を備えるリクライニング機構付き椅子１０の動作について説明する。図１に示すように、背凭れ部３０が最も起立し（図示では背凭れ部３０の角度は水平面から約６０度）、フットレスト４０が最も押し下げられた状態から（図示ではフットレスト４０の裏面の角度は水平面から約９０度）、リクライニング装置３２を駆動し、リクライニング装置３２を縮める。これにより、背凭れ部３０の下端が前方に引っ張られ、背凭れ部３０が座部フレーム２２との連結部を中心として後方に傾動する。また、リクライニング装置３２の後方への傾動動作に伴って、背凭れ部３０の下部フレーム３６に連結された第２リンク５５が前方に移動し、連結軸５３を介して第１リンク５１を前傾させる。第１リンク５１の前傾動作により、第１リンク５１の先端ローラ５２がフットレスト４０の受部５７上を転動しつつ受部５７を押し上げ、フットレスト４０は、座部フレーム２２との連結部を中心として上方に持ち上げられる（図２参照）。受部５７は、上記のように、くの字型に屈曲しているため、受部５７を水平にした場合に比べて、ローラ５２により押し上げた時のフットレスト４０の持ち上がり角度は大きいものとなる。
【００３４】
図２は背凭れ部３０を水平面から約５０度まで傾けた状態を示している。この時、フットレスト４０は約５０度まで持ち上がっていることがわかる。図３に示すように、背凭れ部３０を図２の状態から更に約１０度傾ける、即ち、水平面から約４０度まで傾けると、フットレスト４０は水平面から約２５度まで傾く。図４に示すように背凭れ部３０を図３の状態から更に約１０度傾ける、即ち、水平面から約３０度傾けるとフットレスト４０は水平面から約１５度まで傾く。図５に示すように背凭れ部３０を図４の状態から更に約１５度傾ける、即ち、水平面から約１５度傾けても、フットレスト４０は図４と同様に水平面から約１５度傾いたまま維持される。
【００３５】
上記のように背凭れ部３０の傾動角度とフットレスト４０の傾動角度は比例状態ではなく、背凭れ部３０の倒し始めから１０度毎にフットレスト４０の持ち上がり角度は、約４０度、約２５度、約１０度となり、最後の約１５度ではフットレスト４０はそれ以上持ち上がらないようになっている。つまり、背凭れ部３０を倒し始めた時に一気にフットレスト４０は持ち上げられ、その後、徐々に持ち上がり角度が小さくなっている。
【００３６】
このようにフットレスト４０の持ち上がり角度を調整することにより、使用者は背凭れ部３０の少しの倒し角度でも持ち上げられたフットレスト４０に足を伸ばして載せることができるため快適であり、また、背凭れ部３０の倒し角度の小さい時には使用者の重心は座部２０にあり、この時、フットレスト４０の持ち上がり角度を大きくしているから、使用者がリクライニング機構付き椅子１０から前方へずり落ちることもない。
【００３７】
背凭れ部３０が傾いている状態から背凭れ部３０を起こす場合には、操作部７０のリクライニング起きキー７４を押すと、上記とは逆の経路（図４→図３→図２）を辿る。つまり、背凭れ部３０を起こし始めた時にはフットレスト４０は少ししか押し下げられず、背凭れ部３０が最も起立する直前からフットレスト４０が大きく押し下げられる。従って、背凭れ部３０を起こす時にも使用者がリクライニング機構付き椅子１０から前方へずり落ちることはない。
【００３８】
図６及び図７はリクライニング機構付き椅子１０を配送、保管の際に高さを低く、且つ、長さを短くするために第２リンク５５を折り畳み可能としたものである。図６及び図７に示すように、第２リンク５５は背凭れ部３０に接続される基端側リンクレバー６０と、連結軸５３に接続される先端側リンクレバー６３から構成することができる。リンクレバー６０，６３はコ字状にプレートを屈曲して構成され、基端側リンクレバー６０は溝部が上向きに開口し、先端側リンクレバー６３は溝部が下向きに開口している。図７は説明をわかり易くするために紙面手前側壁を取り去った断面図を示している。基端側リンクレバー６０には先端側リンクレバー６３が回動可能に連結されており、先端に先端側リンクレバー６３に設けられた係止片６４と係合する凹部６１が設けられている。また、基端側リンクレバー６０と先端側リンクレバー６３は折り畳み方向、即ち展開を阻止する方向にトーションバネ６６により付勢されている。
【００３９】
先端側リンクレバー６３には基端側リンクレバー６０の凹部６１に係合可能な係止片６４が、リンクレバー６３の長手方向に移動可能に配備されており、係止片６４は凹部６１の移行路に突出すべく基端側リンクレバー６０に向けてバネ付勢された状態で配置されている。
【００４０】
第２リンク５５は使用状態では、図１及び図７（ａ）に示すように、係止片６４が凹部６１に嵌って両リンクレバー６０、６３が直線に展開した状態となっている。係止片６４は凹部６１側に付勢されているから、使用状態で係止片６４は凹部６１から脱落することはない。
【００４１】
図７に示すように係止片６４を凹部６１から押し出すと、両リンクレバー６０、６３は連結部分にて折り畳み可能となる。この状態から背凭れ部３０を倒すと、両リンクレバー６０，６３は図６及び図７（ｃ）に示すように、トーションバネ６６の付勢力によりＶ字状に折り畳まれる。リンクレバー６０、６３、即ち、第２リンク５５が直線状の場合は、フットレスト４０に対して独立して背凭れ部３０を倒すことはできないが、リンクレバー６０，６３を折り畳み可能とすることにより、図６に示すようにフットレスト４０を最も押し下げた状態で、背凭れ部３０を後方に倒すことができる。リクライニング機能付き椅子１０は高さが低く、且つ、長さを短くでき、全体の体積を小さくして配送、保管することができる。
【００４２】
使用者がリクライニング機能付き椅子１０を使用する場合には、フットレスト４０を最も押し下げた状態で、背凭れ部３０のみを起こすことにより、トーションバネ６６の付勢力に抗して、上記とは逆の経路を辿ってリンクレバー６０，６３が展開し、係止片６４がリンクレバー６０の端面に沿って移動し、凹部６１と係合してリンクレバー６０，６３が一体化して直線状となる。その後は、上記及び図１乃至図５に示すように、フットレスト４０と背凭れ部３０が連動して傾動する。即ち、購入後、使用者が一旦背凭れ部３０を起こすだけで、その他の特別な操作を必要とすることなく、フットレスト４０と背凭れ部３０が連動するリクライニング機能付き椅子１０として使用することができる。
【００４３】
図９はリクライニング機能付き椅子１０の制御ブロック図を示している。本体制御部８０はリクライニング機能付き椅子１０に内装されている。本体制御部８０には、操作部７０に設けられた、もみ、たたき、指圧等のマッサージを自動又は手動で行うマッサージ操作キー７５、背凭れ部３０を倒すリクライニング倒れキー７２、背凭れ部３０を起こすリクライニング起きキー７４、背凭れ部３０が最も倒れた位置を検知する最倒れ位置検知ＳＷ８１及び背凭れ部３０が最も起きた位置を検知する最起き位置検知ＳＷ８２からの信号が入力され、もみマッサージを行う図示しないもみモータを駆動するもみモータ駆動回路８３、たたきマッサージを行う図示しないたたきモータを駆動するたたきモータ駆動回路８４、図示しない施療指を昇降させる昇降モータを駆動する昇降モータ駆動回路８５、指圧マッサージを行う図示しない指圧モータを駆動する指圧モータ駆動回路８６及び背凭れ部３０のリクライニング装置３２の図示しないリクライニングモータを駆動するリクライニングモータ駆動回路８７に信号を出力するようになっている。また、本体制御部８０には背凭れ部３０のリクライニング位置を検知する検知手段が備えられていると共に、そのリクライニング位置を記憶する不揮発性メモリが内装されている。
【００４４】
このように構成されているリクライニング機能付き椅子１０は、使用者の好みに応じて背凭れ部３０は任意の位置までリクライニングされて使用される。そして、使用が終わるとリクライニング機能付き椅子１０の収納スペースの関係上、背凭れ部３０は起こされる。
そして再度使用する時には、リクライニング倒れキー７２を押して背凭れ部３０を例えば前回使用した好みの任意の位置まで倒す。
【００４５】
リクライニング倒れキー７２を押して背凭れ部３０を倒す際に、リクライニング倒れキー７２を押している間だけ背凭れ部３０が倒れる従来通りの構成にすれば、背凭れ部３０を好みの任意の位置まで倒すためにはリクライニング倒れキー７２を押し続けなければならず、操作が煩わしくなってしまう。
【００４６】
そこで、第１実施形態では、リクライニング倒れキー７２を、背凭れ部３０を好みの任意の位置まで倒すために押し続けなければならない時間よりも短い時間だけ長押しするだけで、本体制御部８０が記憶している前回使用時の好みのリクライニング位置まで背凭れ部３０を倒すことができるようになっている。
【００４７】
この制御を、図１０に示すフローチャートに基づいて詳述する。リクライニング機能付き椅子１０の操作部７０電源キー７６が押されると（Ｓ１）、リクライニング倒れキー７２が押されているか否かを本体制御部８０が判断する（Ｓ２）。Ｓ２においてリクライニング倒れキー７２が押されていると、リクライニングモータ駆動回路８７により図示しないリクライニングモータを駆動させて背凭れ部３０を倒す（Ｓ２のＹ→Ｓ３）。
【００４８】
リクライニング倒れキー７２が押し続けられているかを判断し（Ｓ４）、Ｓ４においてリクライニング倒れキー７２が所定時間（第１実施形態では２秒間）押し続けられていると、本体制御部８０が記憶している前回使用時の背凭れ部３０のリクライニング位置まで背凭れ部３０を倒す（Ｓ４のＹ→Ｓ５）。背凭れ部３０が前回使用時の位置に向かってリクライニングするとリクライニングモータを停止させる（Ｓ６のＹ→Ｓ７）。また、背凭れ部３０が前回使用時の位置までリクライニングするまでの間に、再度リクライニング倒れキー７２が押されるとその位置で背凭れ部３０のリクライニングは停止する（Ｓ６のＮ→Ｓ８のＹ→Ｓ７）。またS４において所定時間経過する以前にリクライニング倒れキー７２の押しを解除すると、その時点でリクライニングを停止させる（S４のN→S２のY→S７）
第１実施形態のリクライニング機能付き椅子１０はこのように構成されているため、リクライニング倒れキー７２を２秒以上長押しするという簡単な操作により、背凭れ部３０を前回使用時のリクライニング位置まで倒すことができ、操作性を向上させることができる。
【００４９】
また、背凭れ部３０が前回使用時のリクライニング位置まで倒れるまでの間に、再度リクライニング倒れキー７２を押すことにより、背凭れ部３０のリクライニングを停止させることができ、背凭れ部３０のリクライニング位置変更を容易に行うことができる。
【００５０】
尚、第１実施形態ではリクライニング倒れキー７２の長押しにより、背凭れ部３０を前回使用時の位置までリクライニングさせる構成について詳述したが、同様にして、リクライニング起きキー７２の長押しにより、背凭れ部３０を前回使用時の位置までリクライニングさせる構成を備えてもよい。
【００５１】
また、第１実施形態ではもみ、たたき及び指圧等のマッサージ装置を備えているが、この構成に限定されるものではない。マッサージ装置のないリクライニング機能付き椅子１０にしてもよい。
【００５２】
（第２実施形態）
図１１は本発明の第２実施形態のフローチャートを示している。第１実施形態ではリクライニング倒れキー７２の長押しにより、前回使用時の背凭れ部３０のリクライニング位置に、背凭れ部３０をリクライニングさせる構成であったが、第２実施形態ではリクライニング倒れキー７２の長押しにより、背凭れ部３０を最倒れ位置にリクライニングさせる構成になっている。
【００５３】
この制御について図１１に示すフローチャートに基づいて詳述する。リクライニング機能付き椅子１０の操作部７０電源キー７６が押されると（Ｓ１´）、リクライニング倒れキー７２が押されているか否かを本体制御部８０が判断する（Ｓ２´）。Ｓ２´においてリクライニング倒れキー７２が押されていると、リクライニングモータ駆動回路８７により図示しないリクライニングモータを駆動させて背凭れ部３０を倒す（Ｓ２´のＹ→Ｓ３´）。
【００５４】
リクライニング倒れキー７２が押し続けられているかを判断し（Ｓ４´）、Ｓ４´においてリクライニング倒れキー７２が所定時間（第２実施形態では２秒間）押し続けられていると、背凭れ部３０を最倒れ位置に向かって倒す（Ｓ４´のＹ→Ｓ５´）。背凭れ部３０が最倒れ位置までリクライニングするとリクライニングモータを停止させる（Ｓ６´のＹ→Ｓ７´）。また、背凭れ部３０が最倒れ位置までリクライニングするまでの間に、再度リクライニング倒れキー７２が押されるとその位置で背凭れ部３０のリクライニングは停止する（Ｓ６´のＮ→Ｓ８´のＹ→Ｓ７´）。
【００５５】
第２実施形態のリクライニング機能付き椅子１０はこのように構成されているため、リクライニング倒れキー７２を２秒以上長押しするという簡単な操作により、背凭れ部３０を最倒れ位置まで倒すことができ、操作性を向上させることができる。
【００５６】
また、背凭れ部３０を最倒れ位置まで倒れるまでの間に、再度リクライニング倒れキー７２を押すことにより、背凭れ部３０のリクライニングを停止させることができ、背凭れ部３０のリクライニング位置変更を容易に行うことができる。
【００５７】
尚、第２実施形態ではリクライニング倒れキー７２の長押しにより、背凭れ部３０を最倒れ位置までリクライニングさせる構成について詳述したが、同様にして、リクライニング起きキー７２の長押しにより、背凭れ部３０を最起き位置までリクライニングさせる構成を備えてもよい。
【図面の簡単な説明】
【００５８】
【図１】本発明を実施するための最良の第１実施形態のリクライニング機能付き椅子の側面図であって、背凭れ部を最も起立させた状態（水平面から約６０度）を示している。
【図２】同リクライニング機能付き椅子の側面図であって、背凭れ部を水平面から約５０度まで倒した状態を示している。
【図３】同リクライニング機能付き椅子の側面図であって、背凭れ部を水平面から約４０度まで倒した状態を示している。
【図４】同リクライニング機能付き椅子の側面図であって、背凭れ部を水平面から約３０度まで倒した状態を示している。
【図５】同リクライニング機能付き椅子の側面図であって、背凭れ部を水平面から約１５度まで倒した状態を示している。
【図６】同リクライニング機能付き椅子を配送、保管するためにフットレストを最も押し下げ、背凭れ部を最も倒した状態を示す側面図である。
【図７】同第２リンクの直線状態から折り畳んだ状態までの変化を示す断面図である。
【図８】同操作部の正面図である。
【図９】同本体制御部のブロック図である。
【図１０】同本体制御部の制御を示すフローチャートである。
【図１１】本発明を実施するための最良の第２実施形態のリクライニング機能付き椅子の本体制御部の制御を示すフローチャートである。
【符号の説明】
【００５９】
１０  リクライニング機構付き椅子
２０  座部
３０  背凭れ部
３２  リクライニング装置
７０  操作部
【図１】
2005185466.tif 000003
【図２】
2005185466.tif 000004
【図３】
2005185466.tif 000005
【図４】
2005185466.tif 000006
【図５】
2005185466.tif 000007
【図６】
2005185466.tif 000008
【図７】
2005185466.tif 000009
【図８】
2005185466.tif 000010
【図９】
2005185466.tif 000011
【図１０】
2005185466.tif 000012
【図１１】
2005185466.tif 000013